(57)【要約】【課題】  遊技球の動きによる演出を提供することができる入賞装置を提供する。【解決手段】  本発明による遊技機の入賞装置は、遊技機の入賞装置であって、複数の溝が周囲に設けられた回転体を含みかつ該回転体によって遊技球を特定入賞経路若しくは一般入賞経路に振分けるロータリー形の最終振分け機構と、入賞球を該最終振分け機構の該特定入賞経路又は該一般入賞経路に連通した低及び高確率経路に導く前置振分け機構と、該前置振分け機構と該最終振分け機構との間に配置されて該低確率経路に侵入した遊技球を選択的に排出しかつ排出しない場合には該最終振分け機構に導く第１中間振分け機構と、該前置振分け機構と該最終振分け機構との間に配置されて該高確率経路に導かれた遊技球を該最終振分け機構の該特定入賞経路及び該一般入賞経路のいずれかに選択的に中継する第２中間振分け機構と、を含む。【選択図】  図２
2007144061.tif 000002
【特許請求の範囲】
【請求項１】
遊技機の入賞装置であって、
複数の溝が周囲に設けられた回転体を含みかつ前記回転体によって遊技球を特定入賞経路若しくは一般入賞経路に振分けるロータリー形の最終振分け機構と、
入賞球を前記最終振分け機構の前記特定入賞経路又は前記一般入賞経路に連通した低及び高確率経路に導く前置振分け機構と、
前記前置振分け機構と前記最終振分け機構との間に配置されて前記低確率経路に侵入した遊技球を選択的に排出しかつ排出しない場合には前記最終振分け機構に導く第１中間振分け機構と、
前記前置振分け機構と前記最終振分け機構との間に配置されて前記高確率経路に導かれた遊技球を前記最終振分け機構の前記特定入賞経路及び前記一般入賞経路のいずれかに選択的に中継する第２中間振分け機構と、を含むことを特徴とする遊技機の入賞装置。
【請求項２】
前記第１中間振分け機構は遊技球を排出せしめる排出経路を選択的に遮断する遮断部材を有することを特徴とする請求項１記載の入賞装置。
【請求項３】
前記前置振分け機構は上下方向にうねっている波型板体であることを特徴とする請求項１又は２に記載の入賞装置。
【請求項４】
前記第２中間振分け機構は、上下方向に揺動自在な可動部材と、前記可動部材を揺動せしめる可動部材揺動機構と、前記可動部材が上方に配置されている場合に出現しかつ前記回転体に向けて遊技球を落下せしめる落下経路と、を有することを特徴とする請求項１乃至３の何れか１に記載の入賞装置。
【請求項５】
前記回転体は回転中心から前記特定入賞経路に連通し得る前記溝へ向けて下方に傾斜している球誘導溝を有することを特徴とする請求項４記載の入賞装置。
【発明の詳細な説明】
【技術分野】
【０００１】
本発明は、遊技機の入賞装置に関し、特に振分け機構を備えた入賞装置に関する。
【背景技術】
【０００２】
遊技機の遊技領域には、釘の他にいわゆる役物と称される遊技球の動きに変化を与える構造体が設けられている。役物には、例えば、回転運動を利用して遊技球の移動方向を変更せしめる風車、いわゆるチューリップに代表される入賞装置などがある。
【０００３】
入賞装置においては、遊技球の振り分け先を選択する振分け機構を備えているものがある。かかる振分け機構は、複数の通路のうち選択した通路に遊技球を導いて振分けを行っている。遊技球が該振分け機構を介して特定の通路を通過したときに、遊技機は所定数の賞球を払い出したり、特定遊技を開始したり、あるいは遊技盤面に設けられた表示部の遊技画像の変動を開始したりするようになっている。
【０００４】
振分け機構としては、振分けを行う構造体の形状を利用するもの、磁石を利用するもの、モータ等の電気的駆動手段を用いるもの、あるいはこれらを組み合わせたものがある。近年、遊技球の振分け先を電気的に制御するために、電気的駆動手段が多用された振分け機構が主に開発されている。
【０００５】
たとえば、モータ等の電気的駆動手段と構造体とを組み合わせたものとして、回転円盤体を用いた振分け機構が知られている（特許文献１および２参照）。特許文献１に記載の振分け機構は、回転円盤体と、該回転円盤体に向けて遊技球を導く導入部と、該回転円盤体を回転せしめる回転機構と、を有している。該回転円盤体は、円周方向に沿って一列に設けられた複数の第１の球排出孔と、回転中心に設けられた第２の球排出孔と、半径方向に伸長していて縁部から該第２の球排出孔に向かって遊技球を誘導する１筋の球誘導溝と、を有している。また、かかる第１および第２の球排出孔に対してそれぞれに対応した第１および第２の通路が設けられている。当該振分け機構は、回転駆動部によって回転円盤体を回転せしめて、かかる回転円盤体に向かって落下させた遊技球を第１又は第２の球排出孔に導く。すなわち、当該振分け機構は、回転円盤体を用いて第１又は第２の通路に振分けている。
【０００６】
特許文献２に記載の振分け機構は、鉛直方向に対して回転軸を垂直に配置した回転円盤体と、該回転円盤体の外周を囲むガイド枠と、該回転円盤体を一方の方向に回転させるモータと、を含んでいる。該ガイド枠は、該回転円盤体の上方に球導入路、該回転円盤体の下方に球落下路、ならびに該回転円盤体の下方部の外側左右位置に第１および第２の球流出路を備えている。遊技球は該球導入路を落下して通過し、該回転円盤体に向かう。該回転円盤体は、縁部から半径方向に沿って刻まれた垂直凹部と、縁部から半径方向に向かった後に折れ曲がって「く」の字状に形成されている第１の曲折凹部と、縁部から半径方向に向かった後に折れ返って「Ｊ」字状に形成されている第２の曲折凹部と、を有している。該回転円盤体は、モータによる回転運動により、球誘導路を通過した遊技球を垂直凹部、第１または第２の曲折凹部の何れかに収容することができる。一旦収容された遊技球は、収容された凹部の形状に応じて球落下路、第１および第２の球流出路に導かれる。すなわち、垂直凹部に収容された遊技球は第１の球流出路に導かれ、第１の曲折凹部に収容された遊技球は球落下路に導かれ、第２の曲折凹部に収容された遊技球は第２の球流出路に導かれるようになっている。
【特許文献１】特開平１０−７６０５４号公報
【特許文献２】実開昭６０−１３８５８２号公報
【発明の開示】
【発明が解決しようとする課題】
【０００７】
上記の如き入賞装置は、遊技球を回転円盤体に向けて落下させ、さらに回転円盤体の形状およびその回転動作に従って遊技球を振分ける構成となっている。すなわち、遊技球は、回転円盤体に向かって落下した後に回転円盤体による回転に従って移動することから、当該入賞装置における遊技球自身の動きによる演出が限定されている。その結果、遊技球の動きを楽しませるという遊技機が備えているべき機能が十分に発揮できないという問題がある。
【０００８】
本発明は、上述した問題点が一例として挙げられる課題を解決するためになされたものであり、遊技球の動きによる演出を行うことができる遊技機の入賞装置を提供することを目的としている。
【課題を解決するための手段】
【０００９】
本発明による遊技機の入賞装置は、遊技機の入賞装置であって、複数の溝が周囲に設けられた回転体を含みかつ該回転体によって遊技球を特定入賞経路若しくは一般入賞経路に振分けるロータリー形の最終振分け機構と、入賞球を該最終振分け機構の該特定入賞経路又は該一般入賞経路に連通した低及び高確率経路に導く前置振分け機構と、該前置振分け機構と該最終振分け機構との間に配置されて該低確率経路に侵入した遊技球を選択的に排出しかつ排出しない場合には該最終振分け機構に導く第１中間振分け機構と、該前置振分け機構と該最終振分け機構との間に配置されて該高確率経路に導かれた遊技球を該最終振分け機構の該特定入賞経路及び該一般入賞経路のいずれかに選択的に中継する第２中間振分け機構と、を含むことを特徴とする。
【発明を実施するための最良の形態】
【００１０】
以下、本発明による遊技機の入賞装置について、添付図面を参照しつつ詳細に説明する。なお、下記実施例は、いわゆる第２種遊技機と称される遊技機について説明しているもののこれに限定されない。また、全ての図面において、同一の機能を備えた部品には、同一の符号が付与されている。
【００１１】
（実施例１）
図１に示す如く、遊技機１は、本体基部となる本体枠２と、本体枠２の内部に配設された遊技盤３と、遊技盤３の前面に設けられていて本体枠２に対して開閉自在になっている前面枠４と、を有する。なお、以下説明を簡単にするべく、遊技盤３の遊技領域３ａとされている遊技盤面を正面に据えて見たときを基準にして、前後左右方向および上下方向が定められているものとする。
【００１２】
前面枠４の下方には下扉枠５が設けられている。下扉枠５には、遊技球供給用の供給皿５ａと、遊技球の発射の制御および発射強度を制御するための操作ハンドル６と、が設けられている。操作ハンドル６は、遊技機１の右側部に配置されておりかつ遊技者が握りやすいように突設している。操作ハンドル６には、所定の角度範囲内で回動自在な打出調整部７が設けられている。打出調整部７は弾球の発射装置（図示せず）を駆動せしめる操作スイッチとなっており、打出調整部７を基準位置から時計回り方向に回動せしめることによって遊技球の該発射装置が作動するようになっている。打出調整部７は、バネ等により反時計回り方向への付勢力が付与された状態で基準位置に配置されている。ここで基準位置とは非変移状態の位置をいい、かかる位置に打出調整部７が配置されている場合に、遊技球は遊技盤３の遊技領域３ａに打ち出されないようになっている。
【００１３】
遊技機１の背面側には、遊技機１の各種装置を制御する制御装置、遊技球の発射装置、遊技領域３ａから排出された遊技球の球回収装置および遊技者に賞球を払いだす賞球払出装置など（いずれも図示せず）が設けられている。
【００１４】
遊技盤３には、始動口（図示せず）が設けられている。該始動口は、遊技盤３の下部に設けられており、遊技機１の遊技状態を変化せしめるトリガーとしての機能を備えている。すなわち、遊技球が該始動口を通過することを契機として、遊技機１の遊技状態が変化するようになっている。その他、遊技盤３には、図示しない釘や風車等が設けられている。また、遊技盤３のほぼ中央には、複数の入賞領域を有する入賞装置８（いわゆる特別電動役物）が備えられている。なお、図１には図示しないものの、入賞装置８には、複数の溝が周囲に設けられた回転体（図示せず）を含みかつ特定入賞経路（図示せず）と一般入賞経路（図示せず）とを有するロータリー形の最終振分け機構（図示せず）が設けられており、その詳細を後述する。
【００１５】
図２及び図３に示す如く、入賞装置８は、枠部９と、枠部９に支持されかつ当該装置内への遊技球の通過の許否を振り分ける羽根部１０と、を有している。枠部９は、後述する遊技球の通路を備えかつ振分け機構等の構成部材を支持している。枠部９は、遊技盤３に対してネジ等の固定部品で取り付けられるように貫通孔（図示せず）が設けられている。羽根部１０は、枠部９および羽根部開閉機構（図示せず）に取り付けられており、該羽根部開閉機構によって開閉動作を行う。該羽根部開閉機構は、遊技機１の制御装置（図示せず）によって制御されている。該制御装置は、遊技球が遊技盤３に設けられた始動口（図示せず）を通過することを契機として、該羽根部開閉機構へ開閉駆動信号を供給する。該羽根部開閉機構は、該開閉駆動信号に応じて、羽根部１０を動作せしめる。羽根部１０が開状態にあるとき（図２参照）に、遊技球を入賞装置８内に導くことができる。遊技盤３上に打出された遊技球のうち、羽根部１０を通過して入賞装置８内に導かれた遊技球は、入賞した遊技球（以下、入賞球とも称する）となって球導入路１１を通過する。球導入路１１には遊技球の通過を検知する球検知センサ（図示せず）が設けられており、該球検知センサは遊技球の通過を検知した場合に遊技機１の制御装置（図示せず）に球検知信号を供給する。該制御装置は球検知信号を受信したことを契機として、賞球払出装置（図示せず）に払出信号を供給する。該賞球払出装置は、該払出信号に応じて、所定数の賞球を遊技者に払い出す。球導入路１１は、入賞球を前置振分け機構１２に導く。なお、球導入路１１は、前置振分け機構１２に対して、入賞した遊技球を左右方向において枠部９の内側に導出する導出口１１ａを有している。
【００１６】
前置振分け機構１２は、入賞した遊技球の振分けを行う。前置振分け機構１２は、上下方向にうねっている波型板体である。該波型板体は左右方向に伸長しており、左右方向における中央部は両端部に比べて高くなっている。また、該波型板体の中央部に第１谷部１２ａが設けられている。当該波型板体は、全体的に奥から手前側にかけて下方に傾斜している。第１谷部１２ａは手前から奥側にかけて下方に傾斜しており、遊技球の高確率経路の一部を構成している。該波型板体は、左右方向における両端部と枠部９との境界において第２谷部１２ｂを形成している。第２谷部１２ｂは奥側から手前に向けて傾斜しており、かかる傾斜によって、枠部９の手前側に設けられている低確率経路１３へ遊技球を導くことができる。
【００１７】
低確率経路１３は第２谷部１２ｂの手前側の近傍に球導入口１３ａを有しており、球導入口１３ａは第２谷部１２ｂを転動した遊技球を低確率経路１３内に導くことができる。低確率経路１３は、遊技球を落下せしめる経路となっており、下方に設けられた球排出口１３ｂを介して遊技球を枠部９の内側に向けて排出する。
【００１８】
前置振分け機構１１の鉛直下方には第１中間振分け機構１４と最終振分け機構１５とが設けられている。
【００１９】
第１中間振分け機構１４は、図４及び図５に示す如く、入賞球を入賞装置８から排出する排出経路１６と、排出経路１６を選択的に遮断する遮断部材１７と、遮断部材１７を揺動せしめる遮断部材揺動機構（図示せず）と、低確率経路１３から供給された遊技球を排出経路１６へ案内し得る案内路１８と、案内路１８と連通していて最終振分け機構１５に遊技球を導く誘導路１９と、を有している。なお、図４は前置振分け機構（１２）を省略して示している（以下、図６，図１０及び図１３についても同様とする）。また、図５は後述する第２中間振分け機構の一部（可動部材）を省略して示している（以下、図１１，図１２及び図１５についても同様とする）。
【００２０】
排出経路１６は、入賞装置８の奥側に設けられていて、遊技球を遊技盤３の背面に設けられた球回収機構（図示せず）へ導く。案内路１８は、手前側から奥側にかけて下方に傾斜しており、低確率経路１３から排出経路１６に向けて遊技球を転動せしめるように形成されている。また、案内路１８の一部は最終振分け機構１５の周縁に設けられた壁部２０によって画定されている。低確率経路１３から排出された直後の遊技球は、壁部２０と衝突して、排出経路１６に向かうように案内される。
【００２１】
遮断部材１７は、上下方向に揺動しかつ前後方向に伸長している長手状部材からなる。遮断部材１７は、長手方向に直交しかつ長手方向における奥側の端部に配置されている揺動軸（図示せず）を中心としてその周りを揺動する。遮断部材１７に取り付けられかつ遮断部材１７を揺動せしめる遮断部材揺動機構（図示せず）は、回転モータ等の回転手段（図示せず）を含んでおり、遊技機１の制御装置（図示せず）によって制御されている。該制御装置は、所定の条件（例えば、図示しない所定の入賞口に遊技球が通過するなど）が満たされることを契機として、該揺動機構に向けて揺動信号を供給する。該揺動信号を受信した該揺動機構は、遮断部材１７を上下方向に一定の周期で揺動せしめる。
【００２２】
図６（ａ）に示す如く、遮断部材１７が下方に配置されている場合、排出経路１６の前方に遮断部材１７が配置されて、排出経路１６へ至る経路（案内路１８の一部）が遮断される。その結果、遊技球は排出経路１６を通過できない。一方、図６（ｂ）に示す如く、遮断部材１７が上方に配置されている場合、遊技球は案内路１８を経て排出経路１６を通過し得る。
【００２３】
図４及び図５に示す如く、壁部２０は、案内路１８に連通している誘導路１９も画定している。誘導路１９は、案内路１８に対して交差する方向に遊技球を案内する。また、壁部２０は、誘導路１９から最終振分け機構１５に向けて遊技球が通過し得る間隙２１を有する（図５）。
【００２４】
遮断部材１７が下方に配置されているなどして、入賞した遊技球が排出経路１８から排出されない場合、当該遊技球は誘導路１９に案内されて間隙２１を介して最終振分け機構１５へ向かう。
【００２５】
最終振分け機構１５は、図５に詳細に示すように、複数の溝２２ａが周囲に設けられた回転体２２と、特定入賞経路２３ａおよび一般入賞経路２３ｂとを有する回転体支持部２３を含んでいる。回転体支持部２３において、特定入賞経路２３ａおよび一般入賞経路２３ｂは、それぞれ遊技球を落下せしめる開口を含んでおり、特定入賞経路２３ａに含まれる開口２３ｃは一般入賞経路２３ｂに含まれる開口２３ｄに比べて回転中心側に配置されている。また、開口（２３ｃ，２３ｄ）は、回転体２２の回転方向において幅が広がっている幅広の開口となっている。
【００２６】
一般入賞経路２３ｂは排出経路１６に連通しており、一般入賞経路２３ｂを通過した遊技球は、遊技盤３の背面に設けられた球回収機構（図示せず）へ導かれる。特定入賞経路２３ａには、球検知センサ（図示せず）が設けられている。遊技球が特定入賞経路２３ａを通過すると、該球検知センサは球検知信号を該制御装置に供給し、該制御装置は、遊技者に有利な特定遊技状態（大当り遊技状態とも言う）が提供されるように遊技機１を駆動せしめる。ここで特定遊技状態とは遊技機が短時間に大量の賞球を払い出させるチャンスを遊技者に付与している状態をいい、例えば、羽根部１０を複数回にわたって開閉させて遊技球を入賞装置８内へ導きやすくしている状態をいう。羽根部１０を開閉させる場合、該制御装置は、羽根部開閉機構（図示せず）に開閉駆動信号を供給する。以上のように、特定入賞経路２３ａに含まれる開口２３ｃは、特定入賞口（いわゆるＶゾーン）となっている。
【００２７】
図５に示す如く、回転体２２の周囲に設けられた溝２２ａは特定入賞経路２３ａに連通し得る孔部２２ｂ若しくは一般入賞経路２３ｂに連通し得る切欠２２ｃを有している。孔部２２ｂは回転体２２の周縁よりも回転中心側に配置されている。回転体２２が回転することによって、切欠２２ｃは一般入賞経路２３ｂを構成する開口２３ｄと連通した場合、該開口２３ｄへ遊技球を通過させることができる。また、孔部２２ｂは特定入賞経路２３ａを構成する開口２３ｃと連通した場合、該開口２３ｃへ遊技球を落下させることができる。
【００２８】
回転体２２の溝２２ａは、壁部２０の間隙２１から落下した遊技球を受容し、かつ回転体２２の回転に応じて当該受容遊技球を移動せしめる。従って、回転体２２の回転運動によって、切欠２２ｃに収容された遊技球は一般入賞経路２３ｂを通過し、孔部２２ｂに収容された遊技球は特定入賞経路２３ａを通過する。換言すれば、遊技球は、回転体２２によって特定入賞経路２３ａ若しくは一般入賞経路２３ｂに振分けられる。
【００２９】
回転体２２は回転中心から溝２２ａに向けて伸長しかつ下方に傾斜している球誘導溝２２ｄを有している。遊技球が球誘導溝２２ｄに導かれた場合、当該遊技球は、球誘導溝２２ｄに沿って案内されて、回転体２２の周縁に設けられた溝２２ａに案内される。なお、回転体２２において、孔部２２ｂを備えた溝２２ａの数は、切欠２２ｃを備えた溝２２ａの数に比べて少なくても良い。
【００３０】
以上のように、第１中間振分け機構１４は、前置振分け機構１２と最終振分け機構１５との間に配置されて、低確率経路１３に侵入した遊技球を選択的に排出しかつ排出しない場合には最終振分け機構１５に導く。
【００３１】
図２及び図３に示す如く、前置振分け機構１２において、遊技球が第１谷部１２ａを転動した場合、当該遊技球は高確率経路を形成する第２中間振分け機構２４に導かれる。
【００３２】
図４にも詳細に示すように、第２中間振分け機構２４は、第１谷部１２ａから転動した遊技球の経路２５ａを有しかつ上下方向に揺動自在な可動部材２５と、可動部材２５を揺動せしめる可動部材揺動機構（図示せず）と、可動部材２５の経路２５ａに連通している球誘導経路２６ａを備えかつ可動部材２５を支持する支持部材２６と、を含んでいる。可動部材２５の経路２５ａは、遊技球を後方に導くように形成されており、支持部材２６の球誘導経路２６ａは、後方に導かれた該遊技球を前方に案内しかつ最終振分け機構１５を囲む壁部２０の間隙２１に向けて導くよう形成されている（図５参照）。従って、球誘導経路２６ａを通過した遊技球のほとんどは、最終振分け機構１５に導かれる。
【００３３】
また、第２中間振分け機構２４は、可動部材２５が上方に配置されている場合に出現しかつ回転体２２に向けて遊技球を落下せしめる落下経路２７を有する。落下経路２７は可動部材２５に設けられた凹部によって形成されている。図７に示す如く、可動部材２５が上方に配置されている場合、該凹部は第１谷部１２ａから落下した遊技球Ｂを受容できる。なお、図７中、前置振分け機構１２は、破線で示している（以下、図８及び図１４も同様とする）。該凹部に受容された遊技球Ｂは、図８に示す如く、可動部材２５が下方に揺動することによって、該凹部から放出されて、回転体２２に向けて落下する。なお、回転体２２に向けて落下した遊技球Ｂは、回転体２２の球誘導溝２２ｄを経て溝２２ａの何れかに収容される。
【００３４】
以上のように、第２中間振分け機構２４は、前置振分け機構１２と最終振分け機構１５との間に配置されて、高確率経路に導かれた遊技球を最終振分け機構１５の特定入賞経路及び一般入賞経路（２３ａ，２３ｂ）のいずれかに選択的に中継する。また、前置振分け機構１２は入賞球を最終振分け機構１５の一般入賞経路２３ｂ又は特定入賞経路２３ａに連通した低確率経路１３及び高確率経路（１２ａ，２５ａ，２６ａ，２７）に導く。
【００３５】
次に、上記の如き構成の入賞装置の動作と該入賞装置における遊技球の動きについて説明する。
【００３６】
図９に示す如く、羽根部１０を通過して入賞装置８内に導かれた遊技球Ｂは、球導入路１１を介して前置振分け機構１２に導かれる（図中、遊技球の動きを太線矢印で示す）。前置振分け機構１２は、上下方向にうねっている波型板体であることから、前置振分け機構１２に導入された遊技球Ｂの運動状態に応じて、第１谷部１２ａおよび第２谷部１２ｂの何れかに導かれる。すなわち、遊技球の動きに応じて振り分け先が決定される。
【００３７】
波型板体の左右の端部に設けられている第２谷部１２ｂを転動した遊技球Ｂは、低確率経路１３を経て第１中間振分け機構１４に導かれる。
【００３８】
図１０に示す如く、遮断部材１７が下方に配置されていて排出経路１６を遮断している場合、案内路１８に導かれた遊技球Ｂは全て誘導路１９に導かれる（図中、遊技球の動きを太線矢印で示す）。誘導路１９を通過した遊技球Ｂは、壁部２０の間隙２１を介して最終振分け機構１５における回転体２２の何れかの溝２２ａに導かれる。
【００３９】
図１１に示す如く、壁部２０の間隙２１を通過した遊技球Ｂが、切欠２２ｃを有する溝２２ａに導かれた場合（図１１（ａ））、遊技球Ｂは回転体２２の回転に従って移動して、回転体支持部２３に設けられた開口、すなわち一般入賞経路２３ｂを構成する開口２３ｄを通過する（図１１（ｂ））。一般入賞経路２３ｂを通過した遊技球Ｂは、入賞装置８から排出されて遊技盤３の背面に配置されている球回収機構（図示せず）に回収される。
【００４０】
一方、図１２に示す如く、壁部２０の間隙２１を通過した遊技球Ｂが、孔部２２ｂを有する溝２２ａに導かれた場合、遊技球Ｂは回転体２２の回転に従って移動して、回転体支持部２３に設けられた開口、すなわち特定入賞経路２３ａを構成する開口２３ｃを通過する。遊技球Ｂが特定入賞経路２３ａを通過することを契機として、遊技機１は遊技者に特定遊技状態を付与する。なお、図１１及び図１２において、遊技球の動きを太線矢印で示している。
【００４１】
以上のように、最終振分け機構１５における遊技球Ｂの振り分け先は、遊技球Ｂの運動と最終振分け機構１５の回転状態とによって決定され、壁部２０の間隙２１を通過して最終振分け機構１５に導かれた遊技球Ｂは、特定入賞経路２３ａ又は一般入賞経路２３ｂの何れかに振分けられる。
【００４２】
図１３に示す如く、遮断部材１７が上方に配置されていて、遊技球が排出経路１６を通過できる場合、案内路１８に導かれた遊技球のほとんどは排出経路１６に向かって転動するものの（図中、太線矢印で示す）、案内路１８における遊技球の動きに応じて、稀に誘導路１９に導かれる（図中、太破線矢印で示す）。排出経路１６を通過した遊技球Ｂは、入賞装置８から排出されて、遊技盤３の背面に配置された球回収機構（図示せず）に導かれる。また、誘導路１９に導かれた遊技球Ｂは、図１１及び図１２に示して説明したように、回転体２２によって、特定入賞経路２３ａ若しくは一般入賞経路２３ｂの何れかに振分けられる。すなわち、遊技球が誘導路１９を通過することによって、当該遊技球が特定入賞経路２３ａを通過するチャンスが得られる。
【００４３】
上記の如く、低確率経路１３を通過した遊技球は複数の振分け先に振分けられ、さらに当該振分け先には遊技球を排出し易い排出経路１６が含まれていることから、低確率経路１３は遊技者に特典が付与され難い経路となっている。しかしながら、第１中間振分け機構１４および最終振分け機構１５の動作に応じて特定入賞経路２３ａに遊技球を到達させることができる。換言すれば、遊技球が低確率経路１３に導かれた場合であっても、遊技者は特定遊技状態を得るチャンスを失わない。
【００４４】
図９に示す如く、波型板体の第１谷部１２ａを転動した遊技球Ｂは、第２中間振分け機構２４に導かれる。
【００４５】
第２中間振分け機構２４の可動部材２５が下方に配置されている場合、遊技球Ｂは、図１４及び図１５に示す如く、可動部材２５の経路２５ａを経て入賞装置８の奥側に導かれた後（図中、遊技球の動きを太線矢印で示す）、支持部材２６の球誘導経路２６ａに導かれる。ここで、遊技球Ｂは、可動部材２５を中心として左右に設けられた球誘導経路２６ａのうちのいずれかの球誘導経路２６ａを経由して、前方に案内されて壁部２０の間隙２１に導かれる（図１５）。間隙２１を通過した遊技球Ｂは、図１１及び図１２に示して上述したように、特定入賞経路２３ａ若しくは一般入賞経路２３ｂの何れかに振分けられる。
【００４６】
一方、図１６に示す如く、可動部材２５が上方に配置されている場合、遊技球は、落下経路２７を構成する凹部に受容される。受容された遊技球は、可動部材２５が下方に向けて揺動することを契機として、回転体２２に向けて落下する（図１７）。落下経路２７から落下した遊技球Ｂは、回転体２２の球誘導溝２２ｄによって溝２２ａに案内されて、特定入賞経路２３ａ若しくは一般入賞経路２３ｂの何れかに振分けられる。
【００４７】
上記の如く、入賞装置において、遊技球は、前置振分け機構における遊技球の運動状態によって振分け先が大まかに決定されることから、遊技者は前置振分け機構における遊技球の動きによる演出を提供することができる。
【００４８】
また、第１中間振分け機構は、遊技球を特定入賞経路に到達させることができる経路を備えていることから、遊技者は第１中間振分け機構における遊技球及び当該機構の動きに遊技者を着目させることができる。すなわち、遊技者に遊技球の動きによる演出および第１中間振分け機構の動作による演出を提供することができる。特に、遮断部材が上方に配置されて、遊技球が排出経路から排出され易くなっている場合であっても、誘導路を経由して最終振分け機構に到達し得ることから、遊技球の動きに意外性を付与することができる。
【００４９】
さらに、第２中間振分け機構は、可動部材の動きに応じて遊技球を案内する経路を異ならせることができる故、可動部材および遊技球の動きによる演出を遊技者に提供することができる。さらにまた、落下経路を経由した遊技球は、回転体の球誘導溝における動きに応じて振分け先が定められることから、振分け先を予想することを困難にすることができる。
【００５０】
また、第１及び第２中間振分け機構を構成する部材の形状を、遊技者が具体的な可動物として視認できるような形状（例えばシーサー（可動部材２５）およびシーサーの手（遮断部材１７）など）として演出効果をあげることもできる。
【００５１】
（実施例２）
図１８に示す如き入賞装置８は、上述した実施例１の入賞装置とほぼ同様の構成からなり、枠部９と、枠部９に支持されかつ当該装置内への遊技球の通過の許否を振り分ける羽根部１０と、羽根部１０が開状態（図１８）にあるときに遊技球を入賞装置８内に導く球導入路１１と、を有している。また、球導入路１１は、遊技球を前置振分け機構１２へ遊技球を導く経路となっている。
【００５２】
前置振分け機構１２は、上下方向にうねっている波型板体である。該波型板体は左右方向に伸長しており、左右方向における中央部は両端部に比べて高くなっている。また、該波型板体の中央部に第１谷部１２ａが設けられている。第１谷部１２ａは手前側から奥側にかけて下方に傾斜しており、遊技球の高確率経路の一部を構成している。当該波型板体は、左右方向における両端部と枠部９との境界において第２谷部１２ｂを形成している。第２谷部１２ｂは奥側から手前に向けて傾斜しており、かかる傾斜によって、枠部９の手前側に設けられている低確率経路１３へ遊技球を導くことができる。
【００５３】
低確率経路１３は第２谷部１２ｂを転動した遊技球を前置振分け機構１２の下方に設けられた第１中間振分け機構１４へ遊技球を導くことができる。なお、前置振分け機構１２の下方には、第１中間振分け機構１４の他に、最終振分け機構１５が設けられている。
【００５４】
図１９に示す如く、第１中間振分け機構１４は、入賞球を入賞装置８から排出する排出経路１６と、排出経路１６を選択的に遮断する遮断部材１７と、遮断部材１７を揺動せしめる遮断部材揺動機構（図１９において図示せず）と、低確率経路１３から供給された遊技球を排出経路１６へ案内し得る案内路１８と、案内路１８と連通していて最終振分け機構１５に遊技球を導く誘導路１９と、を有している。
【００５５】
排出経路１６は、入賞装置８の奥側に設けられていて、遊技球を遊技盤３の背面に設けられた球回収機構（図示せず）へ導く。案内路１８は、手前側から奥側にかけて下方に傾斜しており、低確率経路１３から排出経路１６に向けて遊技球を転動せしめるように形成されている。また、案内路１８の一部は最終振分け機構１５の周縁に設けられた壁部２０によって画定されており、壁部２０は排出経路１６に向けて遊技球を案内する。
【００５６】
遮断部材１７は、左右方向に揺動する略三角形の部材からなる。遮断部材１７は、三角形の１つの頂部を排出経路１６の近傍に配置しかつ当該頂部に設けられた揺動軸１７ａを中心としてその周りを回動する。
【００５７】
図２０に詳細に示す如く、遮断部材１７に取り付けられかつ遮断部材１７を揺動せしめる遮断部材揺動機構２８は、第１回転モータ２９を含んでいる。第１回転モータ２９は、ステッピングモータなどの回転角度量の制御が可能なモータからなり、遊技機１の制御装置（図示せず）によって制御されている。第１回転モータ２９の回転軸２９ａには、第１円盤状回転部材３０が取り付けられている。第１円盤状回転部材３０は、円中心において第１回転モータ２９の回転軸２９ａと嵌合する嵌合部３０ａと、嵌合部３０ａが設けられている面とは反対側の面から突出しかつ円中心を挟んで対向している一対の突起３０ｂとを有している。突起３０ｂは、それぞれ直線形の棒状体３１が取り付けられている。棒状体３１の両端部には貫通孔３１ａが設けられており、棒状体３１の一方の端部に設けられている貫通孔３１ａに突起３０ｂが回動自在に嵌め込まれている。棒状体３１の他方の端部に設けられている貫通孔３１ａは、遮断部材１７に設けられた突起１７ｂが回動自在に嵌め込まれている。突起１７ｂは、略楕円形の楕円板１７ｃから突出しかつ長軸の一方の端部の近傍に設けられている。楕円板１７ｃは、突起１７ｂが設けられている面とは反対側の面から突出している揺動軸１７ａを備えており、揺動軸１７ａは楕円板１７ｃの長軸の他方の端部の近傍に設けられている。すなわち、楕円板１７ｃの突起１７ｂは揺動軸１７ａから偏倚している。なお、第１円盤状回転部材３０の外周縁には、切欠３０ｃが設けられている。また、第１円盤状回転部材３０の外周には、第１円盤状回転部材３０の回転角度量を検出する第１センサ３２が設けられている。第１センサ３２は、切欠３０ｃを検出して、第１円盤状回転部材３０の回転角度量を測定する。第１センサ３２によって測定された回転角度量は遊技機１の制御装置（図示せず）に供給され、該制御装置は該回転角度量に応じて第１回転モータ２９を制御する。
【００５８】
上記の如き遮断部材揺動機構２８は、四節リンク機構を構成しており、第１回転モータ２９が駆動して回転軸２９ａが回転すると、これに応じて第１円盤状回転部材３０が回転する。第１円盤状回転部材３０の回転運動は棒状体３１を介して遮断部材１７へ伝達され、遮断部材１７は揺動軸１７ａを中心として揺動する。従って、図１９に示す如く、遮断部材１７は、揺動軸１７ａを中心として左右方向に揺動して、排出経路１６を遮断（図１９（ａ））若しくは開放（図１９（ｂ））する。
【００５９】
図１９（ａ）に示す如く、遮断部材１７が排出経路１６の前方に配置されて、排出経路１６へ至る経路（案内路１８の一部）が遮断されている場合、遊技球は排出経路１６を通過できない。一方、図１９（ｂ）に示す如く、遮断部材１７が排出経路１６を開放している場合、遊技球は案内路１８を経て排出経路１６を通過し得る。
【００６０】
壁部２０は、案内路１８に連通している誘導路１９も画定している。また、壁部２０は、誘導路１９から最終振分け機構１５に向けて遊技球が通過し得る間隙２１を有する。入賞した遊技球が排出経路１８から排出されない場合、当該遊技球は誘導路１９に案内されて間隙２１を介して最終振分け機構１５へ向かう。
【００６１】
最終振分け機構１５は、複数の溝２２ａが周囲に設けられた回転体２２と、特定入賞経路２３ａおよび一般入賞経路２３ｂとを有する回転体支持部２３を含んでいる。回転体支持部２３において、特定入賞経路２３ａおよび一般入賞経路２３ｂは、それぞれ遊技球を落下せしめる開口によって形成されており、特定入賞経路２３ａを形成する開口２３ｃは一般入賞経路２３ｂを形成する開口２３ｄに比べて回転中心側に配置されている。また、開口（２３ｃ，２３ｄ）は、回転体２２の回転方向において幅が広がっている幅広の開口となっている。
【００６２】
一般入賞経路２３ｂは排出経路１６に連通しており、一般入賞経路２３ｂを通過した遊技球は、遊技盤３の背面に設けられた球回収機構（図示せず）へ導かれる。特定入賞経路２３ａには、球検知センサ（図示せず）が設けられている。遊技球が特定入賞経路２３ａを通過すると、遊技機１は遊技者に有利な特定遊技状態が提供される。
【００６３】
回転体２２の周囲に設けられた溝２２ａは特定入賞経路２３ａに連通し得る孔部２２ｂ若しくは一般入賞経路２３ｂに連通し得る切欠２２ｃを有している。孔部２２ｂは回転体２２の周縁よりも回転中心側に配置されている。回転体２２が回転することによって、切欠２２ｃは一般入賞経路２３ｂを構成する開口２３ｄと連通した場合、該開口２３ｄへ遊技球を通過させることができる。また、孔部２２ｂは特定入賞経路２３ａを構成する開口２３ｃと連通した場合、該開口２３ｃへ遊技球を落下させることができる。
【００６４】
回転体２２の溝２２ａは、壁部２０の間隙２１から落下した遊技球を受容し、かつ回転体２２の回転に応じて当該受容遊技球を移動せしめる。従って、回転体２２の回転運動によって、切欠２２ｃに収容された遊技球は一般入賞経路２３ｂを通過し、孔部２２ｂに収容された遊技球は特定入賞経路２３ａを通過する。
【００６５】
回転体２２は回転中心から孔部２２ｂに向けて伸長しかつ下方に傾斜している球誘導溝２２ｄを有している。遊技球が球誘導溝２２ｄに導かれた場合、当該遊技球は、球誘導溝２２ｄに沿って案内されて、孔部２２ｂを有する溝２２ａに案内される。なお、回転体２２において、孔部２２ｂを備えた溝２２ａの数は、切欠２２ｃを備えた溝２２ａの数に比べて少なくなっている。
【００６６】
図２１に示す如く、回転体２２は、回転駆動機構３３によって回転する。回転駆動機構３３は、第２回転モータ３４と、第２回転モータ３４の回転軸３４ａに取り付けられた第１ギア３５と、を有している。第２回転モータ３４は、遊技機の制御装置（図示せず）によって制御されている。第１ギア３５は、回転軸３４ａが嵌め込まれる嵌合部３５ｂを有する。第１ギア３５は、回転体２２の中心軸２２ｅに取り付けられている第２ギア２２ｆと係合している。上記の如き回転駆動機構３３において、第２回転モータ３４が駆動すると、第１ギア３５及び第２ギアを介して回転体２２が回転する。
【００６７】
図１８に示す如き前置振分け機構１２において、遊技球が第１谷部１２ａを転動した場合、当該遊技球は高確率経路を形成する第２中間振分け機構２４に導かれる。
【００６８】
図２２にも詳細に示すように、第２中間振分け機構２４は、第１谷部１２ａから転動した遊技球の経路２５ａを有しかつ上下方向に揺動自在な可動部材２５と、可動部材２５を揺動せしめる可動部材揺動機構３６と、可動部材２５の経路２５ａに連通している球誘導経路２６ａを備えかつ可動部材２５を支持する支持部材２６と、を含んでいる。可動部材２５の経路２５ａは、遊技球を後方に導くように形成されており、支持部材２６の球誘導経路２６ａは、後方に導かれた該遊技球を前方に案内しかつ最終振分け機構１５を囲む壁部２０の間隙２１に向けて導くよう形成されている（後に詳述する）。従って、球誘導経路２６ａを通過した遊技球のほとんどは、最終振分け機構１５に導かれる。
【００６９】
図２３に詳細に示す如く、可動部材揺動機構３６は、第３回転モータ３７を含んでいる。第３回転モータ３７は、ステッピングモータなどの回転角度量の制御が可能なモータからなり、遊技機１の制御装置（図示せず）によって制御されている。第３回転モータ３７の回転軸３７ａには、第２円盤状回転部材３８が取り付けられている。第２円盤状回転部材３８は、円中心において第３回転モータ３７の回転軸３７ａと嵌合する嵌合孔３８ａと、嵌合孔３８ａを有する嵌合部３８ｂと、嵌合部３８ｂが設けられている面とは反対側の面から突出しかつ円中心から偏倚している突起３８ｃとを有している。なお、第３回転モータ３７は、突起３８ｃを上下方向に移動させるように、第２円盤状回転部材３８を回転せしめる。
【００７０】
突起３８ｃは、折れ曲がった棒状の屈曲部材３９が取り付けられている。屈曲部材３９は、棒状の一端において突起３８ｃが回動自在に嵌め込まれる貫通孔３９ａを有している。また、棒状の他端には、可動部材２５の揺動軸２５ｂが嵌め込まれる貫通孔３９ｂが設けられている。貫通孔３９ｂが貫通している方向は、貫通孔３９ａが貫通している方向に対して交差している。
【００７１】
なお、第２円盤状回転部材３８の外周縁には、切欠３８ｄが設けられている。また、第２円盤状回転部材３８の外周には、第２円盤状回転部材３８の回転角度量を検出する第２センサ４０が設けられている。第２センサ４０は、切欠３８ｄを検出して、第２円盤状回転部材３８の回転角度量を測定する。第２センサ４０によって測定された回転角度量は遊技機1の制御装置（図示せず）に供給され、該制御装置は該回転角度量に応じて第３回転モータ３７を制御する。
【００７２】
上記の如き可動部材揺動機構３６は、第３回転モータ３７が駆動して回転軸３７ａが回転すると、これに応じて第２円盤状回転部材３８が回転し、突起３８ｃが上下方向に移動する。突起３８ｃの移動に伴って、屈曲部材３９は揺動軸２５ｂを回転せしめ、可動部材２５は揺動軸２５ｂを中心として上下方向に揺動する。
【００７３】
すなわち、図２４及び図２５に示す如く、可動部材２５は上方（図２４）および下方（図２５）に揺動する。
【００７４】
なお、第２中間振分け機構２４は、可動部材２５が上方に配置されている場合に出現しかつ回転体２２に向けて遊技球を落下せしめる落下経路２７（図２２，図２４および図２５参照）を有する。落下経路２７は、可動部材２５の下方に配置されている。可動部材２５が下方に配置されている場合（図２２及び図２４）、落下経路２７は可動部材２５の下に没し、遊技球は落下経路２７へ到達し得ない。可動部材２５が上方に配置されている場合（図２５）、落下経路２７は遊技球の経路として出現し、第１谷部１２ａを転動した遊技球は落下経路２７を通過する。
【００７５】
落下経路２７は、回転体２２の回転中心の近傍に遊技球を落下させる。従って、回転体２２に向けて落下した遊技球は、回転体２２の球誘導溝２２ｄを経て孔部２２ｂに到達し易くなっている。換言すれば、落下経路２７は、遊技球を特定入賞経路に導きやすい経路となっている。
【００７６】
以上のように、第２中間振分け機構２４は、高確率経路に導かれた遊技球を最終振分け機構１５の特定入賞経路及び一般入賞経路（２３ａ，２３ｂ）のいずれかに選択的に中継する。
【００７７】
次に、上記の如き構成の入賞装置の動作と該入賞装置における遊技球の動きについて説明する。
【００７８】
図２６に示す如く、羽根部１０を通過して入賞装置８内に導かれた遊技球Ｂは、球導入路１１を介して前置振分け機構１２に導かれる（図中、遊技球の動きを太線矢印で示す）。前置振分け機構１２は、上下方向にうねっている波型板体であることから、前置振分け機構１２に導入された遊技球Ｂの運動状態に応じて、第１谷部１２ａおよび第２谷部１２ｂの何れかに導かれる。すなわち、遊技球の動きに応じて振り分け先が決定される。
【００７９】
波型板体の左右の端部に設けられている第２谷部１２ｂを転動した遊技球Ｂは、低確率経路１３を経て第１中間振分け機構１４に導かれる。
【００８０】
遮断部材１７が排出経路１６を遮断している場合（図１９（ａ））、案内路１８に導かれた遊技球Ｂは全て誘導路１９に導かれる（図中、遊技球の動きを太線矢印で示す）。誘導路１９を通過した遊技球Ｂは、壁部２０の間隙２１を介して最終振分け機構１５における回転体２２の何れかの溝２２ａに導かれる。
【００８１】
図２７に示す如く、壁部２０の間隙２１を通過した遊技球Ｂが、切欠２２ｃを有する溝２２ａに導かれた場合（図２７（ａ））、遊技球Ｂは回転体２２の回転に従って移動して、回転体支持部２３に設けられた開口、すなわち一般入賞経路２３ｂを構成する開口２３ｄを通過する（図２７（ｂ））。一般入賞経路２３ｂを通過した遊技球Ｂは、入賞装置８から排出されて遊技盤３の背面に配置されている球回収機構（図示せず）に回収される。
【００８２】
一方、図２８に示す如く、壁部２０の間隙２１を通過した遊技球Ｂが、孔部２２ｂを有する溝２２ａに導かれた場合、遊技球Ｂは回転体２２の回転に従って移動して、回転体支持部２３に設けられた開口、すなわち特定入賞経路２３ａを構成する開口２３ｃを通過する。遊技球Ｂが特定入賞経路２３ａを通過することを契機として、遊技機１は遊技者に特定遊技状態を付与する。なお、図２７及び図２８において、遊技球の動きを太線矢印で示している。
【００８３】
以上のように、最終振分け機構１５における遊技球Ｂの振り分け先は、遊技球Ｂの運動と最終振分け機構１５の回転状態とによって決定され、壁部２０の間隙２１を通過して最終振分け機構１５に導かれた遊技球Ｂは、特定入賞経路２３ａ又は一般入賞経路２３ｂの何れかに振分けられる。
【００８４】
遮断部材１７が案内路１８から外れて、遊技球が排出経路１６を通過できる場合（図１９（ｂ））、案内路１８に導かれた遊技球のほとんどは排出経路１６に向かって転動するものの（図中、太線矢印で示す）、案内路１８における遊技球の動きに応じて、稀に誘導路１９に導かれる（図中、太破線矢印で示す）。排出経路１６を通過した遊技球Ｂは、入賞装置８から排出されて、遊技盤３の背面に配置された球回収機構（図示せず）に導かれる。また、誘導路１９に導かれた遊技球Ｂは、図２７及び図２８に示して説明したように、回転体２２によって、特定入賞経路２３ａ若しくは一般入賞経路２３ｂの何れかに振分けられる。すなわち、遊技球が誘導路１９を通過することによって、当該遊技球が特定入賞経路２３ａを通過するチャンスが得られる。
【００８５】
図２６に示す如く、波型板体の第１谷部１２ａを転動した遊技球Ｂは、第２中間振分け機構２４に導かれる。
【００８６】
第２中間振分け機構２４の可動部材２５が下方に配置されている場合、遊技球Ｂは、図２４に示す如く、可動部材２５の経路２５ａを経て入賞装置８の奥側に導かれた後（図中、遊技球の動きを太線矢印で示す）、支持部材２６の球誘導経路２６ａに導かれる。ここで、遊技球Ｂは、可動部材２５を中心として左右に設けられた球誘導経路２６ａのうち、いずれかの球誘導経路２６ａを経由して前方に案内されて壁部２０の間隙２１に導かれる（図２９）。間隙２１を通過した遊技球Ｂは、図２７及び図２８に示して上述したように、特定入賞経路２３ａ若しくは一般入賞経路２３ｂの何れかに振分けられる。
【００８７】
一方、図２５に示す如く、可動部材２５が上方に配置されている場合、遊技球は、落下経路２７を経由して、回転体２２に向けて落下する。落下経路２７から落下した遊技球Ｂは、そのほとんどが回転体２２の球誘導溝２２ｄを転動し、孔部２２ｂを介して特定入賞経路２３ａに振分けられる。また、回転体２２へ向けて落下した遊技球は、その落下位置などの遊技球の運動に応じて、稀に切欠２２ｃを有する溝２２ａに導かれる。すなわち、落下経路２７を経由した遊技球であっても、稀に低確率経路２３ｂに導かれる場合がある。
【００８８】
このように、落下経路を経由した遊技球は、そのほとんどが特定入賞経路を通過して稀に一般入賞経路を通過する故、落下経路は遊技者に有利な特定遊技状態を提供し易い経路となる。遊技者は、有利な状態を得やすい。
【００８９】
また、遊技球を特定入賞経路に到達させ易い経路を第２中間振分け機構に設けることによって、第２中間振分け機構における遊技球および当該機構の動きに遊技者を着目させることができる。特に、特定遊技状態をほぼ確実に提供する経路が出没することから、遊技者に遊技球の動きおよび第２中間振分け機構の動きによる演出を提供することができる。
【図面の簡単な説明】
【００９０】
【図１】本発明による入賞装置を備えた遊技機の概略正面図である。
【図２】本発明による遊技機の入賞装置の概略正面図である。
【図３】本発明による遊技機の入賞装置の概略斜視図である。
【図４】本発明による遊技機の入賞装置の概略斜視図である。
【図５】図２のＡ−Ａ線断面図である。
【図６】本発明による遊技機の入賞装置の概略斜視図である。
【図７】本発明による遊技機の入賞装置の概略斜視図である。
【図８】本発明による遊技機の入賞装置の概略斜視図である。
【図９】本発明による遊技機の入賞装置における遊技球の動きを示している概略斜視図である。
【図１０】本発明による遊技機の入賞装置における遊技球の動きを示している概略斜視図である。
【図１１】本発明による遊技機の入賞装置における遊技球の動きを示している概略断面図である。
【図１２】本発明による遊技機の入賞装置における遊技球の動きを示している概略断面図である。
【図１３】本発明による遊技機の入賞装置における遊技球の動きを示している概略斜視図である。
【図１４】本発明による遊技機の入賞装置における遊技球の動きを示している概略斜視図である。
【図１５】本発明による遊技機の入賞装置における遊技球の動きを示している概略断面図である。
【図１６】本発明による遊技機の入賞装置における遊技球の動きを示している概略正面図である。
【図１７】本発明による遊技機の入賞装置における遊技球の動きを示している概略正面図である。
【図１８】本発明による遊技機の入賞装置の変形例の概略正面図である。
【図１９】図１８のＡ−Ａ線断面図である。
【図２０】本発明による入賞装置の遮断部材揺動機構を示す分解斜視図である。
【図２１】本発明による入賞装置の回転駆動機構を示す分解斜視図である。
【図２２】図１８のＢ−Ｂ線断面図である。
【図２３】本発明による入賞装置の可動部材揺動機構を示す分解斜視図である。
【図２４】本発明による遊技機の入賞装置を示している一部切断斜視図である。
【図２５】本発明による遊技機の入賞装置を示している一部切断斜視図である。
【図２６】本発明による遊技機の入賞装置における遊技球の動きを示している一部切断斜視図である。
【図２７】本発明による遊技機の入賞装置における遊技球の動きを示している概略断面図である。
【図２８】本発明による遊技機の入賞装置における遊技球の動きを示している概略断面図である。
【図２９】本発明による遊技機の入賞装置における遊技球の動きを示している概略断面図である。
【符号の説明】
【００９１】
１  遊技機
３  遊技盤
３ａ  遊技領域
８  入賞装置
９  枠部
１０  羽根部
１１  球導入路
１１ａ  導出口
１２  前置振分け機構
１２ａ  第１谷部
１２ｂ  第２谷部
１３  低確率経路
１３ａ  球導入口
１３ｂ  球排出口
１４  第１中間振分け機構
１５  最終振分け機構
１６  排出経路
１７  遮断部材
１７ａ  揺動軸
１７ｂ  突起
１７ｃ  楕円板
１８  案内路
１９  誘導路
２０  壁部
２１  間隙
２２  回転体
２２ａ  溝
２２ｂ  孔部
２２ｃ  切欠
２２ｄ  球誘導溝
２２ｅ  中心軸
２２ｆ  第２ギア
２３  回転体支持部
２３ａ  特定入賞経路
２３ｂ  一般入賞経路
２３ｃ，２３ｄ  開口
２４  第２中間振分け機構
２５  可動部材
２５ａ  経路
２５ｂ  揺動軸
２６  支持部材
２６ａ  球誘導経路
２７  落下経路
２８  遮断部材揺動機構
２９  第１回転モータ
２９ａ  回転軸
３０  第１円盤状回転部材
３０ａ  嵌合部
３０ｂ  突起
３０ｃ  切欠
３１  棒状体
３１ａ  貫通孔
３２  第１センサ
３３  回転駆動機構
３４  第２回転モータ
３４ａ  回転軸
３５  第１ギア
３６  可動部材揺動機構
３７  第３回転モータ
３７ａ  回転軸
３８  第２円盤状回転部材
３８ａ  嵌合孔
３８ｂ  嵌合部
３８ｃ  突起
３８ｄ  切欠
３９  屈曲部材
３９ａ，３９ｂ  貫通孔
４０  第２センサ
【図１】
2007144061.tif 000003
【図２】
2007144061.tif 000004
【図３】
2007144061.tif 000005
【図４】
2007144061.tif 000006
【図５】
2007144061.tif 000007
【図６】
2007144061.tif 000008
【図７】
2007144061.tif 000009
【図８】
2007144061.tif 000010
【図９】
2007144061.tif 000011
【図１０】
2007144061.tif 000012
【図１１】
2007144061.tif 000013
【図１２】
2007144061.tif 000014
【図１３】
2007144061.tif 000015
【図１４】
2007144061.tif 000016
【図１５】
2007144061.tif 000017
【図１６】
2007144061.tif 000018
【図１７】
2007144061.tif 000019
【図１８】
2007144061.tif 000020
【図１９】
2007144061.tif 000021
【図２０】
2007144061.tif 000022
【図２１】
2007144061.tif 000023
【図２２】
2007144061.tif 000024
【図２３】
2007144061.tif 000025
【図２４】
2007144061.tif 000026
【図２５】
2007144061.tif 000027
【図２６】
2007144061.tif 000028
【図２７】
2007144061.tif 000029
【図２８】
2007144061.tif 000030
【図２９】
2007144061.tif 000031